【事件の表示】
　特許第６０６２３４８号発明「フォーカルプレンシャッタ及びカメラ」の特許異議申立事件について，次のとおり決定する。
【結　論】
　特許第６０６２３４８号の請求項１ないし６に係る特許を維持する。
【理　由】
１　手続の経緯
　本件特許異議申立事件に係る特許第６０６２３４８号（請求項の数６。以下，「本件特許」という。）は，平成２５年１１月１日に出願され，平成２８年１２月２２日に特許権の設定登録がされたものである。
　平成２９年１月１８日に本件特許の特許掲載公報が発行されたところ，平成２９年７月１８日に特許異議申立人より請求項１ないし６に係る特許について本件特許異議の申立てがされた。
２　本件特許の請求項１ないし６に係る発明
　本件特許の請求項１ないし６に係る発明（以下，それぞれを「本件特許発明１」ないし「本件特許発明６」といい，これらを総称して「本件特許発明」という。）は，設定登録がなされた特許請求の範囲の請求項１ないし６に記載された事項により特定されるものであるところ，当該請求項１ないし６の記載は次のとおりである。
「【請求項１】
　露光用の開口部を有する地板と，
　前記開口部を開閉するべく前記地板に移動自在に設けられた先羽根と，
　前記開口部を開閉するべく前記地板に移動自在に設けられた後羽根と，
　前記先羽根を駆動する先羽根駆動部材と，
　前記先羽根駆動部材を付勢する先羽根用駆動ばねと，
　前記後羽根を駆動する後羽根駆動部材と，
　前記後羽根駆動部材を付勢する後羽根用駆動ばねと，
　前記先羽根駆動部材及び後羽根駆動部材を，前記先羽根用駆動ばねおよび後羽根用駆動ばねの付勢力に抗してシャッタ動作前のセット位置にセットし得るセット部材を備え，
　前記先羽根駆動部材は，前記セット部材が係合して前記先羽根用駆動ばねの付勢力に抗しつつシャッタ動作前のセット位置にセットされる主駆動部材と，前記先羽根に連結される従駆動部材を含み，
　前記セット位置にセットされる前記主駆動部材に追従するよう前記従駆動部材を付勢するセットばねと，
　前記セット部材によるセット動作時に所定条件下で前記従駆動部材の追従を規制するべく作動する規制機構をさらに備えた，フォーカルプレンシャッタであって，
　前記規制機構が非作動の状態において，前記主駆動部材が前記セット位置に移動する際に前記従駆動部材の追従を補助する補助機構を設けた，
ことを特徴とするフォーカルプレンシャッタ。
【請求項２】
　前記補助機構は，前記セット位置に向けて移動する前記主駆動部材に対して前記従駆動部材を押圧又は引寄せて付勢する共に前記規制機構が作動した状態において前記主駆動部材に対する前記従駆動部材の相対的な移動を許容するように弾性変形し得る付勢部材を含む，
ことを特徴とする請求項１に記載のフォーカルプレンシャッタ。
【請求項３】
　前記付勢部材は，前記従駆動部材に設けられた当接部に当接し得ると共に所定以上の抵抗力に対して弾性変形して撓むように前記主駆動部材に設けられた板バネである，
ことを特徴とする請求項２に記載のフォーカルプレンシャッタ。
【請求項４】
　前記主駆動部材及び従駆動部材は，同一の軸線回りに回動するように重ねて配置され，
　前記板バネは，前記軸線に垂直な面内において撓むように形成され，
　前記当接部は，前記板バネの先端領域と当接し得るように前記軸線と平行に伸長して形成されている，
ことを特徴とする請求項３に記載のフォーカルプレンシャッタ。
【請求項５】
　前記板バネの先端領域は，前記当接部に向けて凸状に湾曲して形成され，
　前記当接部は，前記軸線と平行に伸長する円柱状に形成されている，
ことを特徴とする請求項４に記載のフォーカルプレンシャッタ。
【請求項６】
　請求項１ないし５いずれか一つに記載のフォーカルプレンシャッタを備えた，
ことを特徴とするカメラ。」
３　申立理由の概要
　特許異議申立人が主張する申立理由は概略次のとおりである。
（１）申立理由１
　ア　サポート要件違反
　請求項１ないし３及び６に係る特許は，次の（ア）及び（イ）の点で，特許法３６条６項１号に規定する要件を満たしていない特許出願に対してされたものである。
（ア）　本件特許の請求項１に記載された「補助機構」について，本件特許明細書の発明の詳細な説明には，実質上「主駆動部材５１に設けられた付勢部材としての板バネ５２及び従駆動部材５５に設けられた当接部５６」からなるものが記載されているのみで，他の具体的な態様は示されていないから，当業者といえども「板バネ５２」及び「当接部５６」からなる補助機構以外の補助機構を実現できない。
　したがって，出願時の技術常識に照らしても，請求項１，２及び６に係る発明の範囲まで，発明の詳細な説明に開示された内容を拡張ないし一般化できない。
（イ）　本件特許の請求項１ないし３及び６には，露光動作を行う際の補助機構の動作等，連写のコマ速を高めて高速での連続撮影を可能とするための具体的な構成について，明確に特定されておらず，課題を解決するための手段が反映されていないから，本件特許明細書の発明の詳細な説明に記載した範囲を超えるものとなっている。
　イ　明確性要件違反
　請求項１ないし３及び６に係る特許は，次の（ア）及び（イ）の点で，特許法３６条６項２号に規定する要件を満たしていない特許出願に対してされたものである。
（ア）　本件特許の請求項１に記載された「セットばね」及び「補助機構」について，本件特許明細書の発明の詳細な説明には，セットばねが「板バネ５２」であることが特定され，補助機構が「板バネ５２」及び「当接部５６」であることが特定されている。
　そうすると，本件特許の請求項１の記載では，請求項１ないし３及び６に係る発明における「補助機構」が補助する「主駆動部材に従駆動部材を追従させる構成」が何を指しているのか不明確である。
（イ）　本件特許の請求項１の記載では，請求項１ないし３及び６に係る発明における電子ファインダを用いて被写体像を観察できるようにするための構成が不明確であり，露光時における補助機構の動作等の，連写のコマ速を高めて高速での連続撮影を可能とするための構成が不明確である。
（ウ）　本件特許の請求項２の記載では，請求項２，３及び６に係る発明における付勢部材の弾性変形がどのような変形であるのか理解できず，その構成が不明確である。
（エ）　本件特許の請求項３の記載では，請求項３及び６に係る発明におけるどのような状況でどのように板バネが撓むのかが理解できないため，その構成が不明確である。
（２）申立理由２
　本件特許の審査経緯において，平成２８年８月８日に提出された手続補正書により，補正前の請求項１に記載されていた「従駆動部材」を「主駆動部材に追従するように付勢」する手段について「セットばね」との名称が付され，発明の詳細な説明の【００１４】において，当該「セットばね」が，「補助機構Ｍ」を構成する板バネ５２及び当接部５６のうちの「板バネ５２」であることが特定されたが，出願当初明細書等の記載からは，「セットばね」は「ガタ寄せバネ」とも理解し得るため，板バネ５２をセットばねとすることは出願当初明細書等の記載から自明な事項ではなく，当該補正は新規事項の追加に該当する。
　したがって，請求項１ないし６に係る特許は，特許法１７条の２　３項に規定する要件を満たしていない補正をした特許出願に対してされたものである。
（３）申立理由３及び４
　本件特許発明１，２及び６は，甲１に記載された発明と同一であり，特許法２９条１項３号に該当するから，その特許は同法２９条１項の規定に違反してされたものである。
　本件特許発明１は，甲１に記載された発明に基づいて，又は甲１に記載された発明と甲２ないし甲４のいずれかに記載された事項とに基づいて，当業者が容易に発明をすることができたものであるから，その特許は特許法２９条２項の規定に違反してされたものである。
　本件特許発明２は，甲１に記載された発明に基づいて，又は甲１に記載された発明と甲３，甲５のいずれかに記載された事項とに基づいて，当業者が容易に発明をすることができたものであるから，その特許は特許法２９条２項の規定に違反してされたものである。
　本件特許発明３は，甲１に記載された発明及び甲６に記載された事項に基づいて，当業者が容易に発明をすることができたものであるから，その特許は特許法２９条２項の規定に違反してされたものである。
　本件特許発明４及び５は，いずれも，甲１に記載された発明，甲４に記載された事項，及び甲６に記載された事項に基づいて，当業者が容易に発明をすることができたものであるから，その特許は特許法２９条２項の規定に違反してされたものである。
　本件特許発明６は，甲１に記載された発明に基づいて，当業者が容易に発明をすることができたものであるから，その特許は特許法２９条２項の規定に違反してされたものである。
甲１：特開２０１１−１１３０６０号公報
甲２：特開２０１１−１８０２１３号公報
甲３：特開２００１−２１５５５５号公報
甲４：実願昭６１−２６９６７号（実開昭６２−１４０５２６号）のマイクロフィルム
甲５：実願平１−３８０５０号（実開平２−１３１７３３号）のマイクロフィルム
甲６：特開２００６−２３５２６０号公報
（４）申立理由５
　本件特許明細書の【００３０】には，「シャッタ動作完了後（露光動作完了後）の休止状態においては，・・・（中略）・・・補助機構（板バネ５２，当接部５６）は，図３及び図４に示すように，板バネ５２が弾性変形していない状態にあると共に当接部５６から離脱した状態にある。」と記載されているが，図３や図４に示された板バネ５２は当接部５６に当接しているように見受けられる。
　また，【００２４】には，「当接部５６は，図５及び図６に示すように，主駆動部材５１がセット位置に移動する際に，板バネ５２により押圧されて，主駆動部材５１に対して従駆動部材５５が確実に追従するように補助し，一方，規制機構８０が作動して従駆動部材５５の移動を規制する場合の所定以上の抵抗力に対して，図９及び図１０に示すように，板バネ５２を弾性変形させて当接状態から逸脱させ，従駆動部材５５と一緒に規制位置に停止したまま，主駆動部材５１のみをセット位置に移動させるようになっている。」と記載されているが，図６に示された板バネ５２は当接部５２と離間しているように見受けられ，図９や図１０に示された板バネ５２は当接部５２に当接しているように見受けられる。
　したがって，本件特許明細書の発明の詳細な説明には，板バネの形状変化が明確に記載されていないため，当業者がその実施をすることができる程度に明確かつ十分に記載されたものではない。
　したがって，請求項１ないし６に係る特許は，特許法３６条４項１号に規定する要件を満たしていない特許出願に対してされたものである。
４　申立理由１に対する判断
（１）サポート要件違反について
　ア　本件特許明細書には，次の記載がある。
（ア）　「【背景技術】
【０００２】
　従来のフォーカルプレンシャッタとしては，露光用の開口部を有する略矩形の地板，地板の開口部を開閉するべく地板に対して移動自在に支持された先羽根及び後羽根，先羽根を駆動する先羽根駆動部材（
先羽根に連結されると共に先羽根のガタ寄せバネの付勢力を介して第２駆動部材に追従するように付勢された第１駆動部材（従駆動部材）及びシャッタ動作時に第１駆動部材を押して駆動力を及ぼす第２駆動部材（主駆動部材）
撮影前の待機時に開口部を開放するべく
第１駆動部材（従駆動部材）をシャッタ動作完了位置（先羽根が開口部を全開した位置）に停止させて抑止する抑止手段
セット動作（チャージ動作）の際に，抑止手段により先羽根駆動部材（第１駆動部材）の移動を止めて開口部を開放した状態とし，電子ファインダを用いて撮影前の被写体像を観察できるようにした
【０００３】
　しかしながら，このフォーカルプレンシャッタにおいて，先羽根駆動部材を構成する第１駆動部材と第２駆動部材との関係は，先羽根に連結された第１駆動部材は，セット部材によりセット動作（チャージ動作）が直接行われる第２駆動部材に対して，先羽根をガタ寄せするガタ寄せバネの付勢力により追従するように構成されている。
　したがって，
抑止手段が非作動の状態
で，第２駆動部材がセット部材によりセット位置にセット（チャージ）される際に，第１駆動部材はガタ寄せバネの付勢力だけで第２駆動部材に追従してセット位置に移動するため，連写等の際にチャージ速度を速く
すると，先羽根の重さ等により第１駆動部材が第２駆動部材に追従せず，再露光を招く虞があり，それ故にチャージ速度を速める（チャージ時間を短縮する）ことができないという問題があった。
・・・（中略）・・・
【発明が解決しようとする課題】
【０００５】
　
本発明
の目的とするところは，電子ファインダを用いて撮影前の被写体像を観察できるように先羽根の駆動部材が二つの駆動部材により構成されるカメラ用のフォーカルプレンシャッタにおいて，構造の簡素化，装置の小型化等を図りつつ，セット部材によるチャージ速度を速くしても，所望の露光動作が得られ，連続撮影（連写）のコマ速（コマ数）を高めて，高速での連続撮影が可能なフォーカルプレンシャッタ及びそれを用いたカメラを提供すること
（イ）　「【課題を解決するための手段】
【０００６】
　本発明のフォーカルプレンシャッタは，・・・（中略）・・・規制機構が非作動の状態において，主駆動部材がセット位置に移動する際に従駆動部材の追従を補助する補助機構を設けた，ことを特徴としている。・・・（中略）・・・
規制機構が作動しない（電子ファインダにて撮影前の被写体像を観察しない）モードの場合
従駆動部材が
ガタ寄せバネ
の
付勢力に加えて補助機構により補助されて主駆動部材に追従してセット位置にセットされ
　ここでは，
規制機構が非作動の状態において，主駆動部材がセット位置に移動する際に従駆動部材の追従を補助する補助機構を設けたことにより，セット動作の際に従駆動部材は主駆動部材に確実に追従してセット位置にセットされるため，セット部材によるチャージ速度を速くしても，所望の露光動作が得られ，連続撮影（連写）のコマ速（コマ数）を高めて，高速での連続撮影が可能となる。
　イ　前記ア（ア）の記載から，従来のフォーカルプレンシャッタには，先羽根駆動部材を，先羽根に連結される従駆動部材と，シャッタ動作時に前記従駆動部材を押して駆動力を及ぼす主駆動部材とで構成するとともに，セット動作の際にセット部材により移動させられる前記主駆動部材に追従して前記従駆動部材が移動するように当該従駆動部材を付勢するガタ寄せバネと，前記従駆動部材をシャッタ動作完了位置に停止させることができる抑止手段とを設け，電子ファインダを用いて被写体像を観察する際には，抑止手段を動作させて従駆動部材をシャッタ動作完了位置に停止させ，セット動作の際の主駆動部材の移動に追従しないようにすることで，露光用の開口部を開放したままにして，電子ファインダを用いて撮影前の被写体像を観察できるように構成したものがあったこと，及び当該従来のフォーカルプレンシャッタでは，セット動作時に，従駆動部材がガタ寄せバネの付勢力だけで主駆動部材に追従することから，チャージ速度を速くすると，従駆動部材が主駆動部材に追従できなくなるおそれがあることから，連写等のためにチャージ速度を速め，チャージ時間を短縮することができないという課題があったことを把握できる。
　また，前記ア（イ）の記載に接した当業者は，「補助機構」による作用，機能が，ガタ寄せバネの付勢力による従駆動部材の追従を，補助機構が補助することから，ガタ寄せバネの付勢力だけで追従させる従来のフォーカルプレンシャッタに比べて，チャージ速度を速めることができるというものであること，したがって，補助機構が従駆動部材の追従を補助する機構である限りは，その具体的な構成がどのようなものであっても，前記課題を解決できることを直ちに理解できる。
　ウ　これに対して，本件特許の請求項１には，「規制機構が非作動の状態において，主駆動部材がセット位置に移動する際に従駆動部材の追従を補助する補助機構」を設けることが記載されており，請求項２，３及び６は，当該請求項１の記載を直接又は間接的に引用する形式で記載されているところ，前記イで述べたことに照らせば，当業者は，当該「補助機構」を有している本件特許発明１ないし３及び６は，課題を解決できると認識できるというほかない。
　したがって，本件特許発明１ないし３及び６は，発明の詳細な説明の記載により，当業者が発明の課題を解決できると認識できる範囲のものであるから，本件特許明細書の発明の詳細な説明に記載したものと認められる。
　エ　特許異議申立人は，板バネ５２及び当接部５６からなるもの以外の補助機構に拡張ないし一般化できないなどと主張するが，前記イで述べたとおり，補助機構が従駆動部材の追従を補助する機構である限りは，その具体的な構成がどのようなものであっても，発明の課題を解決できると当業者は理解できるから，当該主張は採用できない。
　また，特許異議申立人は，露光動作を行う際の補助機構の動作等が特定されていないから，発明の課題を解決するための手段が反映されていないなどとも主張するが，露光動作を行う際の補助機構の動作等は，セット動作時に従駆動部材が追従できなくなるという課題とは無関係な事項であって，課題を解決するための手段ではないから，当該動作等が特定されていないことがサポート要件違反となることはない。したがって，当該主張も採用できない。
（２）明確性要件違反について
　ア（ア）　本件特許の請求項１には，
「前記セット位置にセットされる前記主駆動部材に追従するよう前記従駆動部材を付勢するセットばね・・・（中略）・・・をさらに備えた，フォーカルプレンシャッタであって，
　前記規制機構が非作動の状態において，前記主駆動部材が前記セット位置に移動する際に前記従駆動部材の追従を補助する補助機構を設けた，
ことを特徴とするフォーカルプレンシャッタ。」
と記載されているところ，当該記載中の「従駆動部材の追従」が，「セットばね」の付勢力による従駆動部材の主駆動部材への追従のことであることは明らかである。
　そして，「セットばね」の付勢力による従駆動部材の主駆動部材への追従を補助する以上，「補助機構」が「セットばね」とは別部材であることは，自明である。
（イ）　この点，本件特許明細書の記載を確認してみると，
「【課題を解決するための手段】
【０００６】
　本発明のフォーカルプレンシャッタは，・・・（中略）・・・
規制機構が作動しない
モードの場合，
従駆動部材が（先羽根のガタ寄せバネ等の）付勢力に加えて補助機構により補助されて主駆動部材に追従してセット位置にセットされ
「【００１４】
　以下，本発明の実施形態について，添付図面を参照しつつ説明する。
　この実施形態に係るフォーカルプレンシャッタは，図１ないし図４に示すように，地板１０，地板１０に対して所定の間隔をおいて平行に配置された支持板２０，地板１０に移動自在に設けられた先羽根３０及び後羽根４０，先羽根３０を駆動するべく付勢された先羽根駆動部材５０（主駆動部材５１及び従駆動部材５５），後羽根４０を駆動するべく付勢された後羽根駆動部材６０，先羽根駆動部材５０及び後羽根駆動部材６０を付勢力に抗しつつシャッタ動作前のセット位置にセット（チャージ）し得るセット部材７０，セット部材７０によるセット動作時（チャージ動作時）に所定条件下で主駆動部材５１に対する従駆動部材５５の追従を規制するべく作動する規制機構８０，規制機構８０が非作動の状態において主駆動部材５１がセット位置に移動する際に従駆動部材５５の追従を補助する
補助機構Ｍ（主駆動部材５１に設けられた板バネ５２
，従駆動部材５５に設けられた当接部５６）
「【００１９】
　先羽根駆動部材５０は，図３に示すように，時計回りに回転付勢されると共にセット部材７０により（反時計回りに回転した）セット位置にセットされる主駆動部材５１，
セット位置に向かう（反時計回りに回転する）主駆動部材５１に追従するように付勢された（従駆動部材５５の駆動ピン５５ａがアーム３４に連結されていることにより，先羽根３０をガタ寄せするガタ寄せバネの付勢力を介して反時計回りに付勢された）従駆動部材５５
「【００２３】
　
従駆動部材５５は，
先羽根３０をガタ寄せするガタ寄せバネにより反時計回りに回転付勢され，反時計回りに回転する主駆動部材５１に追従する
「【００３２】
　そして，図５に示すように，セット部材７０の時計回りの回転により，係合部７０ａが係合部５１ｂに係合して主駆動部材５１を付勢バネ５３の付勢力に抗して反時計回りに回転させると，
主駆動部材５１に設けられた板バネ５２の先端領域が従駆動部材５５の当接部５６に当接して従駆動部材５５の追従を補助し，従駆動部材５５は先羽根３０をガタ寄せするガタ寄せバネの付勢力に加えて板バネ５２の押圧力により主駆動部材５１に確実に追従して反時計回りに回転し，
等と説明されている。
　これらの説明から，ガタ寄せバネの付勢力により従駆動部材５５が主駆動部材５１に追従すること，及び補助機構Ｍが板バネ５２と当接部５６とから構成されており，板バネ５２が当接部５６を押圧する押圧力が，ガタ寄せバネの付勢力による従駆動部材５５の主駆動部材５１への追従を補助すること，すなわち，「ガタ寄せバネ」が請求項１記載の「セットばね」に該当する構成であり，「板バネ５２及び当接部５６」が請求項１記載の「補助機構」に該当する構成であることを理解でき，前記（ア）で述べた請求項１の記載の理解と何ら矛盾しない。
（ウ）　なお，本件特許明細書の【００１４】には，「板バネ５２(セットばね)」なる記載が存在するが，当該記載が誤記であることは当業者に自明であり，請求項１の記載からみても，本件特許明細書の発明の詳細な説明の記載からみても，発明の詳細な説明に記載の「板バネ５２」が，請求項１記載の「セットばね」であるとともに，請求項１記載の「補助機構」をも構成していると解する余地はない。
（エ）　以上によれば，たとえ本件特許明細書の発明の詳細な説明の記載を参酌したとしても，請求項１に記載された「セットばね」及び「補助機構」は明確に特定できるのであって，「補助機構」が補助する「主駆動部材に従駆動部材を追従させる構成」に関して，本件特許発明１ないし３及び６が不明確であるということはできない。
　イ　また，異議申立人が不明確であると主張する，電子ファインダを用いて被写体造を観察できるようにするための構成，露光時における補助機構の動作，付勢部材の弾性変形がどのような変形であるのか，どのような状況でどのように板バネが撓むのか等の点について，各請求項において特定されていないとしても，それらの構成については任意の態様を採用し得るということにすぎないのであって，これら構成が各請求項において特定されていないことが直ちに明確性要件違反となるわけではない。
　しかるに，請求項１ないし３及び６の記載中に，フォーカルプレンシャッタ又はカメラという物の発明を不明確とするような発明特定事項は存在しないから，異議申立人が主張する前記各点に関して，本件特許発明１ないし３及び６が不明確であるということはできない。
（３）申立理由１について判断のまとめ
　前記（１）及び（２）のとおりであるから，申立理由１は成り立たない。
５　申立理由２に対する判断
　前記４（２）ア（ウ）で言及した本件特許明細書の発明の詳細な説明の【００１４】に記載の「板バネ５２(セットばね)」なる文言は，平成２８年８月８日提出の手続補正書による補正によって明細書中に挿入されたものである。
　しかしながら，前記４（２）アで述べたように，特許請求の範囲の記載や本件特許明細書の発明の詳細な説明の記載からみて，当該文言が誤記であって，「ガタ寄せバネ」が請求項１記載の「セットばね」に該当する構成であり，「板バネ５２及び当接部５６」が請求項１記載の「補助機構」に該当する構成であることは明らかなのであって，補正によって，請求項１において「従駆動部材」を「主駆動部材に追従するように付勢」する手段について「セットばね」との名称を付し，発明の詳細な説明において前記文言を挿入したことで，出願当初の明細書等の全ての記載を総合することにより導かれる技術的事項との関係において，新たな技術的事項を導入したことになるとは到底いえない。
　したがって，申立理由２は成り立たない。
６　申立理由３及び４に対する判断
（１）甲１
　ア　甲１の記載
　甲１（特開２０１１−１１３０６０号公報）は，本件特許に係る出願より前に頒布された刊行物であるところ，当該甲１には，次の記載がある。
（ア）　「【請求項１】
　
先羽根を連結していて被押動部と被抑止部とを有しておりシャッタ地板の第１軸に対して回転可能に取り付けられている先羽根用第１駆動部材と，押動部を有していて前記第１軸に回転可能に取り付力けられており撮影時において先羽根用駆動ばねの付勢によって回転させられその回転時に該押動部が前記被押動部を押して先羽根用第１駆動部材を共に回転させたときには先羽根に露光開口を開かせる先羽根用第２駆動部材と，セット状態においては先羽根用第１駆動部材を先羽根が露光開口を覆う位置へ回転させ得るように直接又は間接に付勢しているセットばねと，後羽根を連結していて前記シャッタ地板の第２軸に回転可能に取り付けられており撮影時には後羽根用駆動ばねの付勢力によって回転させられ後羽根に露光開口を閉じさせる後羽根用駆動部材と，前記シャッタ地板の第３軸に回転可能に取り付けられておりセット作動時には初期位置から回転して先羽根用第２駆動部材と後羽根用駆動部材とを前記各駆動ばねの付勢力に抗して回転させセット位置においてはそれらの駆動部材をセット状態に維持しカメラのレリーズ後であって撮影露光開始前には初期位置へ復帰するセット部材と，前記被抑止部の作動軌跡内に出入り可能な抑止部材を有していて前記シャッタ地板に取り付けられており該抑止部材が前記被抑止部の作動軌跡外にある場合は撮影終了直後であって前記セット部材のセット作動開始前において該抑止部材を前記被抑止部の作動軌跡内に作動させることが可能であり該抑止部材が前記被抑止部の作動軌跡内にある場合は前記被抑止部の抑止状態において該抑止部材を前記被抑止部の作動軌跡外に作動させることが可能な抑止手段と，を備えていることを特徴とするデジタルカメラ用フォーカルプレンシャッタ。
（イ）　「【技術分野】
【０００１】
　本発明は，デジタルカメラ用のフォーカルプレンシャッタに関する。
【背景技術】
【０００２】
　デジタルカメラ用のフォーカルプレンシャッタには，先羽根と後羽根という二つのシャッタ羽根を備えているタイプのものと，一つのシャッタ羽根を備えているタイプのものとがある。そして，前者のタイプのものは，セット状態においては先羽根が露光開口を覆っており，撮影に際しては，先羽根と後羽根を同じ方向へ順に走行させ，先羽根が露光開口を開き始めることによってＣＣＤ等の撮像素子に対する撮影のための露光（以下，撮影露光という）を開始し，後羽根が露光開口を閉じ終わることによって撮影露光を終了するようにしている。そして，その後，撮像情報が撮像素子から情報処理回路を介して記憶装置に記憶されると，レリーズ後におけるカメラとしての一連の撮影作動が終了したことになる。
・・・（中略）・・・
【０００４】
　本発明は，前者のタイプのデジタルカメラ用フォーカルプレンシャッタに属するものであるが，このタイプのフォーカルプレンシャッタは，先羽根と後羽根は，先羽根用駆動部材と後羽根用駆動部材に連結されており，撮影時には，それらの駆動部材が先羽根用駆動ばねと後羽根用駆動ばねの付勢力によって回転することによって走行させられ，セット時には，それらの駆動部材が，初期位置から回転するセット部材によって，各々の駆動ばねの付勢力に抗してセット位置まで逆転させられるようになっている。・・・（中略）・・・
【０００７】
　また，デジタルカメラの場合には，撮影前に被写体像を観察する手段として，光学ファインダを備えたものと，液晶パネルなどの表示装置を用いた電子ファインダを備えたものと，それらの両方を備えたものとがあるが，最近では，少なくとも，電子ファインダを備えていることが必須になっている。そして，電子ファインダを用いて撮影前の被写体像を観察できるようにする場合は，撮影用の撮像素子を，撮影前の被写体像を観察する場合の撮像素子として兼用させるのが好都合である・・・（中略）・・・
【発明が解決しようとする課題】
【００１０】
　上記のように，特許文献１に記載されているフォーカルプレンシャッタは，二つのシャッタ羽根を備えているシャッタではあるが，光学ファインダを用いて撮影をすることができるだけではなく，撮影用の撮像素子を用いて，撮影しようとする被写体像を電子ファインダで観察しながら撮影をすることも可能になっている。即ち，特許文献１に記載されているカメラは，撮影者が，電子ファインダを用いる撮影を選択した場合には，可動ミラー（クイックリターンミラー）はアップ状態に維持され，且つ露光開口は全開状態になっており，撮影に際してカメラのレリーズ釦が押されると，先ず，先羽根が露光開口を閉鎖し，その後，先羽根が露光開口を開き始めることによって撮影露光を開始し，さらに所定時間後に，後羽根が露光開口を閉じ終わることによって撮影露光を終了するように構成されている。
【００１１】
　ところが，最近の高級カメラは，ますます多機能化が進んでおり，このように二つのシャッタ羽根を作動させて撮影を行えるように構成したフォーカルプレンシャッタであっても，撮影前に撮影者が選択することにより，上記した一つのシャッタ羽根を備えているフォーカルプレンシャッタのように，セット状態においては露光開口が全開になっており，撮影に際してカメラのレリーズ釦が押されると，露光開口を全開にしている状態において，電子制御回路が撮像素子を制御することによって撮影露光を開始し，シャッタ羽根が露光開口を閉じ終わることによって撮影露光を終了するようにした撮影や，撮影露光の開始と終了の両方が，いずれも電子制御回路が撮像素子を制御することによって行われ，その後，後羽根によって露光開口を閉じるようにした撮影も行えるようにしたいという要求がある。
【００１２】
　本発明は，このような問題点を解決するためになされたものであり，その目的とするところは，光学ファインダを用いて撮影する場合には，セット状態において，先羽根が露光開口を閉じ後羽根が露光開口から退いていて，撮影に際しては，先羽根が露光開口を開き始めることによって撮影露光を開始し後羽根が露光開口を閉じ終わることによって撮影露光を終わるようにしたモードでの撮影を行うようにすることが可能であるし，また，電子ファインダを用いて撮影する場合には，セット状態において，先羽根と後羽根の両方が露光開口を開いているようにし，撮影に際しては，レリーズ後の初期段階において先羽根が露光開口を一旦閉じた後，先羽根が露光開口を開き始めることによって撮影露光を開始し後羽根が露光開口を閉じ終わることによって撮影露光が終わるようにしたモードでの撮影を行うようにすることが可能であると共に，撮影に際しては先羽根を作動させることなく，電子制御回路が撮像素子を制御することにより，撮影露光の開始だけを行わせたり，撮影露光の開始と終了の両方を行わせることによって，後羽根だけを露光開口を閉じるために作動させるようにしたモードでの撮影も行うようにすることの可能な，コンパクトな構成のダイレクトタイプのデジタルカメラ用フォーカルプレンシャッタを提供することである。
【課題を解決するための手段】
【００１３】
　上記の目的を達成するために，本発明のデジタルカメラ用フォーカルプレンシャッタは，先羽根を連結していて被押動部と被抑止部とを有しておりシャッタ地板の第１軸に対して回転可能に取り付けられている先羽根用第１駆動部材と，押動部を有していて前記第１軸に回転可能に取り付力けられており撮影時において先羽根用駆動ばねの付勢によって回転させられその回転時に該押動部が前記被押動部を押して先羽根用第１駆動部材を共に回転させたときには先羽根に露光開口を開かせる先羽根用第２駆動部材と，セット状態においては先羽根用第１駆動部材を先羽根が露光開口を覆う位置へ回転させ得るように直接又は間接に付勢しているセットばねと，後羽根を連結していて前記シャッタ地板の第２軸に回転可能に取り付けられており撮影時には後羽根用駆動ばねの付勢力によって回転させられ後羽根に露光開口を閉じさせる後羽根用駆動部材と，前記シャッタ地板の第３軸に回転可能に取り付けられておりセット作動時には初期位置から回転して先羽根用第２駆動部材と後羽根用駆動部材とを前記各駆動ばねの付勢力に抗して回転させセット位置においてはそれらの駆動部材をセット状態に維持しカメラのレリーズ後であって撮影露光開始前には初期位置へ復帰するセット部材と，前記
被抑止部の作動軌跡内に出入り可能な抑止部材を有していて
・・・（中略）・・・
【発明の効果】
【００１６】
　本発明のデジタルカメラ用フォーカルプレンシャッタは，先羽根と後羽根を備えたコンパクトな構成をしているにも関わらず，光学ファインダを用いて撮影する場合には，セット状態においては，先羽根が露光開口を閉じ後羽根が露光開口から退いていて，撮影に際しては，先羽根が露光開口を開き始めることによって撮影露光を開始し後羽根が露光開口を閉じ終わることによって撮影露光を終わるようにしたモードでの撮影も行えるようにすることができるし，また，電子ファインダを用いて撮影する場合には，セット状態においては，先羽根と後羽根の両方が露光開口を開いていて，撮影に際しては，レリーズ後の初期段階において先羽根が露光開口を一旦閉じた後に，先羽根が露光開口を開き始めることによって撮影露光を開始し後羽根が露光開口を閉じ終わることによって撮影露光を終わるようにしたモードでの撮影を行えるようにすることができると共に，撮影に際しては先羽根を作動させることなく，電子制御回路が撮像素子を制御することによって，撮影露光の開始だけを行わせるようにしたり，撮影露光の開始と終了の両方を行わせるようにしたりすることによって，後羽根だけを露光開口を閉じるために作動させるようにしたモードでの撮影も行えるようにすることが可能であるから，少なくとも，それらのうちの二つの撮影モードを選択して撮影することを可能にしたカメラに用いて極めて有効なものである。」
（イ）　「【発明を実施するための形態】
【００１８】
　本発明の実施の形態を，図示した実施例によって説明する。上記したように，本発明の
デジタルカメラ用フォーカルプレンシャッタ
光学ファインダを用いて撮影する場合には，セット状態において，先羽根が露光開口を閉じ後羽根が露光開口から退いていて，撮影に際しては，先羽根が露光開口を開き始めることによって撮影露光を開始し後羽根が露光開口を閉じ終わることによって撮影露光を終わるようにしたモード（以下，第１撮影モードという）
電子ファインダを用いて撮影する場合には，セット状態において，先羽根と後羽根の両方が露光開口を開いているようにし，撮影に際しては，レリーズ後の初期段階で先羽根が露光開口を一旦閉じた後に，先羽根が露光開口を開き始めることによって撮影露光を開始し後羽根が露光開口を閉じ終わることによって撮影露光を終わるようにしたモード（以下，第２撮影モードという）
（ウ）　「【実施例】
【００２１】
　先ず，主に図１〜図４を用いて本実施例の構成を説明する。・・・（中略）・・・
【００２２】
　
シャッタ地板１は，
露光用の開口部１ａが形成されている
【００２３】
　また，周知のように，シャッタ地板１の撮像装置側には，所定の間隔を空けて，中間板２と補助地板３が順に取り付けられており，シャッタ地板１と中間板２との間に後述する後羽根の羽根室を構成し，中間板２と補助地板３との間に後述する先羽根の羽根室を構成している。・・・（中略）・・・
【００２５】
　
シャッタ地板１の被写体側の面には，
軸１ｇ，１ｈ，１ｉが立設されている
シャッタ地板１の撮像装置側の面には，
１ｊ，１ｋが立設されている
・・・（中略）・・・
【００２８】
　支持板６は，薄い金属製の板材で製作されていて，シャッタ地板１側に折り曲げられた複数の折曲部を有している。そして，先羽根用電磁石１０と後羽根用電磁石１１とは，周知のようにして，それらのうちの複数の折曲部に取り付けられているが，図１及び図２においては，それらの二つの電磁石１０，１１も，支持板６と同様に，一点鎖線で示してある。・・・（中略）・・・
【００３０】
　
シャッタ地板１の被写体側の面には，ねじ１２によって，抑止手段１３が取り付けられている。
抑止手段１３は，後述の先羽根用第１駆動部材１４が，
反時計方向へ回転するのを抑止可能とする
抑止部材１３ｂ
・・・（中略）・・・
【００３７】
　シャッタ地板１の被写体側において，上記の
軸１ｇには，先羽根用第１駆動部材１４と先羽根用第２駆動部材１５とが，
各々，回転可能に取り付けられている。
【００３８】
　そこで先ず，先羽根用第１駆動部材１４について説明する。
先羽根用第１駆動部材１４は，被押動部１４ａと，被抑止部１４ｂと，駆動ピン１４ｃとを有している。
被押動部１４ａは，後述する先羽根用第２駆動部材１５の押動部１５ｄによって押される部位である
被抑止部１４ｂは，先羽根用第１駆動部材１４が反時計方向へ回転しようとするとき，上記の抑止部材１３ｂの先端に当接して抑止される部位である
【００３９】
　また，
駆動ピン１４ｃは，
シャッタ地板１の長孔１ｍに挿入され
先端部は，後述の先羽根に連結される
【００４０】
　他方，
先羽根用第２駆動部材１５は，
被押動部１５ｂと，
押動部１５ｄとを有している
・・・（中略）・・・
【００４２】
　そして，
先羽根用駆動ばね１８は，
先羽根用第２駆動部材１５を
時計方向へ回転させるように付勢しており
【００４３】
　シャッタ地板１に立設されている上記の
軸１ｈには，後羽根用駆動部材２０が回転可能に取り付けられている
後羽根用駆動部材２０は，
駆動ピン２０ｃとを有している
ローラー２０ｄを回転可能に取り付けていて
取付部２０ｂの内部は，
【００４４】
　また，
駆動ピン２０ｃは，
シャッタ地板１の長孔１ｎに挿入され，
先端部は，後述の後羽根に連結される
【００４５】
　後羽根用駆動部材２０の筒部２０ａには，図３に示されているように，後羽根用駆動ばね２２が緩く嵌装されている。また，シャッタ地板１の軸１ｈの小径部には，ラチェット部材２３が回転可能に取付けられている。更に，図１及び図２に示されているように，支持板６は，折曲部の一つをラチェット爪６ｂとしていて，その先端を，ラチェット部材２３の外周部に形成されているラチェット歯に噛合させ，ラチェット部材２３の反時計方向への回転を阻止している。
【００４６】
　そして，
後羽根用駆動ばね２２は，
後羽根用駆動部材２０を
時計方向へ回転させるように付勢しており
【００４７】
　シャッタ地板１に立設されている上記の
軸１ｉには，セット部材２４が回転可能に取り付けられており
係合ピン
シャッタ地板１に
形成された
長孔に挿入されている
ばねの付勢力によって反時計方向へ回転させられ
【００４８】
　また，このセット部材２４は，上記の図示していない係合ピンのほか，筒部２４ａと，
二つの押動部２４ｂ，２４ｃと
を有していて
押動部２４ｂは，先羽根用第２駆動部材１５の被押動部１５ｂを押す部位であり，押動部２４ｃは，後羽根用駆動部材２０のローラー２０ｄを押す部位であり，
【００４９】
　次に，シャッタ地板１の背面側に配置されている先羽根と後羽根の構成を，主に図４を用いて説明する。先ず，中間板２と補助地板３との間に配置されている
先羽根は，
軸１ｇに対して回転可能に取り付けられたアーム２５と，上記の軸１ｊに対して回転可能に取り付けられたアーム２６と，それらの両方に対して先端部に向けて順に枢支された３枚の羽根２７，２８，２９とで構成されており，
【００５０】
　更に，シャッタ地板１の軸１ｊには，コイルばねである
セットばね３０
アーム２６を反時計方向へ回転させるように付勢している
セットばね３０の付勢力は，上記の先羽根用駆動ばね１８の付勢力よりも小さい
【００５１】
　他方，
後羽根は，
上記の軸１ｈに対して回転可能に取り付けられたアーム３１と，上記の軸１ｋに対して回転可能に取り付けられたアーム３２と，それらの両方に対し先端部に向けて順に枢支された３枚の羽根３３，３４，３５とで構成されており，
【００５２】
　更に，シャッタ地板１の上記の軸１ｋには，上記のセットばね３０と同じようにして，
ばね３６
アーム３２を反時計方向へ回転させるように付勢している
その付勢力は，上記した後羽根用駆動ばね２２の付勢力よりも小さい
【００５３】
　次に，本実施例の作動を説明する。既に説明したように，本実施例のカメラ用フォーカルプレンシャッタは，撮影前に，カメラに備えられている選択手段を操作することによって，三つの撮影モードのうちから所望の撮影モードを選択して撮影をすることが可能である。そのため，本実施例の作動説明に際しては，第１撮影モードでの作動，第２撮影モードでの作動，第３撮影モードでの作動の順に説明をし，それらの切換え作動についても適時に説明することにする。
【００５４】
　そこで先ず，第１撮影モードでの作動を，各々の作動段階における各構成手段の作動状態を示した図４〜図７の平面図と，主要な構成手段の作動関係を示した図８のタイミングチャートを用いて説明する。尚，上記したように，
第１撮影モードは，光学ファインダを用いて撮影をする
先羽根が露光開口を開き始めることによって撮影露光を開始し後羽根が露光開口を閉じ終わることによって撮影露光を終わるようにしたモード
【００５５】
　図４は，撮影前に，撮影者が選択手段を操作することによって，第１撮影モードを選択したときのセット状態を示したものである。このとき，可動ミラーを備えた一眼レフカメラの場合には，図示していない可動ミラーがダウン状態になっていて，光学ファインダによって被写体像を観察することができるようになっている。また，
セット部材２４は，セット作動時に，
初期位置からセット位置まで時計方向へ回転させられており
【００５６】
　また，このとき，先羽根用電磁石１０と後羽根用電磁石１１には通電されていないが，セット部材２４によるセット作動時に，
先羽根用第２駆動部材１５は，先羽根用駆動ばね１８の付勢力に抗して，その被押動部１５ｂをセット部材２４の押動部２４ｂに押されて反時計方向へ回転させられ，また，後羽根用駆動部材２０は，後羽根用駆動ばね２２の付勢力に抗して，ローラー２０ｄをセット部材２４の押動部２４ｃに押されて反時計方向へ回転させられており，
【００５７】
　また，
先羽根用第１駆動部材１４は，セット作動時における先羽根用第２駆動部材１５の反時計方向への回転に伴って，セットばね３０の付勢力によって反時計方向へ回転させられており，その被押動部１４ａを，先羽根用第２駆動部材１５の押動部１５ｄに接触させた状態を維持させられている。
抑止部材１３ｂを，先羽根用第１駆動部材１４の被抑止部１４ｂの作動軌跡外において
【００５８】
　そのため，この
セット状態においては，
先羽根は，３枚の羽根２７〜２９を展開させて開口部１ａを閉じており
後羽根は，３枚の羽根３３〜３５を重畳させて開口部１ａの上方位置に格納されていて
・・・（中略）・・・
【００６０】
　このような図４の状態において，光学ファインダで被写体像を観察しながらカメラのレリーズボタンを押すと，先ず，上記の可動ミラーがアップ状態にさせられると共に，先羽根用電磁石１０のコイル１０ｂと，後羽根用電磁石１１のコイル１１ｂの両方に通電される。そのため，それまでは，各々の電磁石１０,１１の鉄芯部材１０ａ，１１ａに対して単に接触させられていただけの鉄片部材１６，２１が，電磁力によって吸着保持された状態になる。他方，この撮影モードが選択されているときには，抑止手段１３のコイル１３ｅには通電されることが全くない。そのため，抑止手段１３の抑止部材１３ｂは，常にストッパピン１ｑに接触させられた状態を維持したままである。
【００６１】
　このように，鉄片部材１６，２１が二つの電磁石１０,１１の鉄芯部材１０ａ，１１ａによって吸着保持されると，図示していないカメラ本体側の部材が，セット部材２４の被押動部２４ｄの作動軌跡から退いていくので，それに追従して，セット部材２４は，図示していないばねの付勢力によって反時計方向へ回転させられていくが，その過程で，セット部材２４の押動部２４ｂが先羽根用第２駆動部材１５の被押動部１５ｂから離れ，押動部２４ｃが後羽根用駆動部材２０のローラー２０ｄから離れる。・・・（中略）・・・
【００６２】
・・・（中略）・・・その後，セット部材２４が，初期位置へ復帰し，図示していない上記の係合部が，シャッタ地板１に形成された図示していない上記の長孔の一端に当接して停止させられた状態が，図５に示されている。尚，図８においては，このような先羽根と後羽根の僅かな作動の図示が省略されている。そして，このことは，他のタイミングチャートでも同じである。
【００６３】
　このようにして図５の状態になると，被写体光などの撮影条件に対応し，露光時間制御回路によって決められた時間間隔で，先羽根用電磁石１０のコイル１０ｂに対する通電と，後羽根用電磁石１１のコイル１１ｂに対する通電とが順に断たれる。先ず，先羽根用電磁石１０のコイル１０ｂに対する通電が断たれると，
先羽根用第２駆動部材１５が，先羽根用駆動ばね１８の付勢力によって急速に時計方向へ回転させられるが，このとき，先羽根用第２駆動部材１５の押動部１５ｄが先羽根用第１駆動部材１４の被押動部１４ａを押すので
【００６４】
　続いて，後羽根用電磁石１１のコイル１１ｂに対する通電が断たれると，後羽根用駆動部材２０は，後羽根用駆動ばね２２の付勢力によって急速に時計方向へ回転させられ，後羽根の３枚の羽根３３〜３５を，隣接する羽根同士の重なりを小さくさせながら急速に下方へ走行させ，開口部１ａを上方から下方へ向けて閉じさせていく。このような後羽根用駆動部材２０の回転は，被写体光が比較的明るい場合には，先羽根が開口部１ａを全開にする前に開始させられる。従って，その場合には，撮像素子の撮像面は，先羽根のスリット形成羽根２９と後羽根のスリット形成羽根３５との間に形成されるスリットにより，上方から下方へ向けて連続的に露光されていく。
・・・（中略）・・・
【００６６】
・・・（中略）・・・また，
図７は，
先羽根の３枚の羽根２７〜２９が重畳状態となって，開口部１ａの下方位置に格納された
後羽根の３枚の羽根３３〜３５が展開状態となって開口部１ａを閉じ
【００６７】
　このようにして図７の状態になると，撮影された撮像情報が，撮像装置から情報処理回路を介して転送され，記憶装置に記憶される。そして，撮像情報が記憶装置に記憶されると，図示していない可動ミラーがダウン状態に作動させられると共に，直ちにセット作動が開始される。そして，その
セット作動は，図７の状態において，図
セット部材２４を時計方向へ回転させることによって行われる。
・・・（中略）・・・
【００７３】
　次に，カメラの選択手段によって，上記のような第１撮影モードが選択されている状態において，即ち上記の図４に示されたセット状態において，第２撮影モードや第３撮影モードを選択した場合における切換え作動を説明するが，その説明に際しては，上記の第１撮影モードでの作動説明から充分理解することの可能なところを，簡略的に説明することにする。
・・・（中略）・・・
【００７６】
　図４は，上記のように，第１撮影モードでの撮影が選択されているときのセット状態を示したものである。この状態で，撮影者が，カメラの選択手段によって，
第２撮影モード
を選択すると
【００７７】
　その後，二つの電磁石１０，１１に対する通電が断たれるが，図１１においては，それらのタイミングは，便宜上，上記の図８に示されている両者のタイミングと同じになるようにして示してある。即ち，先羽根が図６に示された状態になってから，後羽根の作動を開始させるタイミングで示してある。しかしながら，カメラ本体側の制御システムとの関係で問題がないのであれば，切換え作動時間は出来るだけ短い方がよい。そのため，電磁石１１に対する通電を断つタイミングを，もっと早くしてもよいし，それによって電磁石１０に対する通電を断つタイミングと同じにしても構わない。
【００７８】
　このようにして，二つの電磁石１０，１１に対する通電が断たれて，各駆動部材１４，１５，２０が時計方向へ回転し，
先羽根と後羽根の走行が終了すると
図７の状態になる。
抑止部材１３ｂの先端は，先羽根用第１駆動部材１４の被抑止部１４ｂの作動軌跡内に入っている
【００７９】
　図９の状態が得られると，直ちにセット作動が開始される。図９の状態において，図示していないカメラ本体側の部材が被押動部２４ｄを押すと，
セット部材２４は，
初期位置から時計方向へ回転させられていく
セット部材２４の押動部２４ｂが先羽根用第２駆動部材１５の被押動部１５ｂを押し，先羽根用第２駆動部材１５を先羽根用駆動ばね１８の付勢力に抗して反時計方向へ回転させ
【００８０】
　ところが，
先羽根用第１駆動部材１４だけは，
先羽根が開口部１ａに入る前に，その被抑止部１４ｂが抑止部材１３ｂの先端面に当接して停止させられてしまう。そのため，それ以後は，先羽根用第２駆動部材１５だけが，先羽根用駆動ばね１８の付勢力に抗して反時計方向へ回転させられていく
【００８１】
　このようにして，先羽根用第１駆動部材１４の回転が抑止されると，続いて，
セット部材２４の押動部２４ｃが後羽根用駆動部材２０のローラー２０ｄを押し
後羽根用駆動部材２０は，後羽根用駆動ばね２２の付勢力に抗して，反時計方向へ回転させられ
後羽根の３枚の羽根３３〜３５が，重畳状態になって開口部１ａから上方へ退く
・・・（中略）・・・
【００９２】
　次に，上記のようにして選択された第２撮影モードでの作動，即ち電子ファインダを用いて撮影する場合であって，セット状態においては，先羽根と後羽根の両方が露光開口を開いていて，撮影に際しては，レリーズ後の初期段階において先羽根が露光開口を一旦閉じた後，先羽根が露光開口を開き始めることによって撮影露光を開始し後羽根が露光開口を閉じ終わることによって撮影露光を終了するようにしたモードでの作動を，上記の図４〜図７，図９，図１０のほか，新たに図１４を用いて説明する。尚，図１４は，第２撮影モードで撮影する場合における各主要構成手段の作動関係を示すタイミングチャートである。また，この第２撮影モードの作動は，これまでの説明から充分に理解することができるところを簡略化して説明する。
【００９３】
　図１０は，第２撮影モードを選択したときのセット状態を示したものである。そのため，上記したように，可動ミラーはアップ状態を維持されている。また，このとき，二つの電磁石１０,１１のコイル１０ｂ,１１ｂと，抑止手段１３のコイル１３ｅには通電されていない。しかし，抑止手段１３の永久磁石回転子１３ａは，時計方向へ回転させられた状態になっており，抑止部材１３ｂの先端部は，先羽根用第１駆動部材１４の被抑止部１４ｂに接触し，セットばね３０の付勢力による先羽根用第１駆動部材１４の反時計方向の回転を抑止している。そのため，第１撮影モードの場合のセット状態とは異なり，開口部１ａが全開状態になっているので，カメラの電源スイッチがオンになっていれば，電子ファインダによって，撮影しようとする被写体の現在の状態を観察することが可能になっている。
【００９４】
　このセット状態において，電子ファインダで被写体像を観察しながら，カメラのレリーズボタンを押すと，二つの電磁石１０，１１のコイル１０ｂ，１１ｂに通電され，同時に抑止手段１３のコイル１３ｅに対しても順方向の電流が供給される。それにより，一方では，それまで，各々の電磁石１０，１１の鉄芯部材１０ａ，１１ａに対し単に接触していただけの鉄片部材１６，２１が，電磁力によって吸着保持されるようになる。また，他方では，抑止手段１３の永久磁石回転子１３ａが，抑止部材１３ｂがストッパピン１ｑに当接するまで反時計方向へ回転させられ，その後，コイル１３ｅに対する通電が断たれる。
【００９５】
　このように，永久磁石回転子１３ａが反時計方向へ回転し，抑止部材１３ｂによる先羽根用第１駆動部材１４の抑止を解くと，先羽根用第１駆動部材１４は，セットばね３０の付勢力によって反時計方向へ回転し，駆動ピン１４ｃによって先羽根の３枚の羽根２７〜２９を上方へ走行させる。そのため，先羽根の３枚の羽根２７〜２９は，隣接する羽根同士の重なり量を小さくしてゆくが，先羽根用第１駆動部材１４の回転が，その被押動部１４ａを先羽根用第２駆動部材１５の押動部１５ｄに当接させて停止したときには，展開状態となって，開口部１ａを完全に閉じるようになる。そのときの状態が，図４に示された状態である。
【００９６】
　図４に示された状態が得られると，図示していないカメ本体側の部材がセット部材２４の被押動部２４ｄから退いていく。そのため，セット部材２４は，それに追従し，図示していないばねの付勢力によって反時計方向への回転を開始する。そして，その回転の初期段階において，先羽根用第２駆動部材１５と後羽根用駆動部材２０とは，既に説明したようにして，僅かに時計方向へ回転したところで停止させられる。その後，セット部材２４が初期位置へ復帰して停止した状態が，図５に示された状態である。
【００９７】
　図５に示された状態が得られると，第１撮影モードでの撮影の場合と同様に，先羽根用電磁石１０に対する通電と，後羽根用電磁石１１に対する通電が，被写体の明るさに対応した時間間隔で順に断たれる。」
　イ　甲１に記載された発明
　前記ア（ア）ないし（ウ）で摘記した記載を含む甲１の全記載から，甲１に次の発明が記載されていると認められる。（なお，セット部材２４の係合ピンが挿入される長孔は図示されておらず，符号が付されていないが，長孔１ｍ，１ｎと区別するために「長孔１ｏ」と表現した。）
「軸１ｇ，１ｈ，１ｉ，１ｊ，１ｋが立設され，長孔１ｍ，１ｎ，１ｏ及び露光用の開口部１ａが形成されたシャッタ地板１と，
　前記軸１ｇに対して回転可能に取り付けられたアーム２５，前記軸１ｊに対して回転可能に取り付けられたアーム２６，及びそれらの両方に枢支された３枚の羽根２７，２８，２９で構成された先羽根と，
　被押動部１４ａ，被抑止部１４ｂ，及び前記長孔１ｍに挿入されるとともにその先端部が前記先羽根に連結された駆動ピン１４ｃを有し，前記軸１ｇに回転可能に取り付けられた先羽根用第１駆動部材１４と，
　被押動部１５ｂ，及び時計方向に回転する際に前記先羽根用第１駆動部材１４の被押動部１４ａを押す押動部１５ｄを有し，前記軸１ｇに回転可能に取り付けられた先羽根用第２駆動部材１５と，
　前記先羽根用第２駆動部材１５を時計方向へ回転させるように付勢する先羽根用駆動ばね１８と，
　前記先羽根用駆動ばね１８の付勢力よりも小さい付勢力によって，前記アーム２６を反時計方向へ回転させるように付勢するセットばね３０と，
　前記軸１ｈに対して回転可能に取り付けられたアーム３１，前記軸１ｋに対して回転可能に取り付けられたアーム３２，及びそれらの両方に枢支された３枚の羽根３３，３４，３５で構成された後羽根と，
　前記長孔１ｎに挿入されるとともにその先端部が前記後羽根に連結された駆動ピン２０ｃ，及び回転可能に取り付けられたローラー２０ｄを有し，前記軸１ｈに回転可能に取り付けられた後羽根用駆動部材２０と，
　前記後羽根用駆動部材２０を時計方向へ回転させるように付勢する後羽根用駆動ばね２２と，
　前記後羽根用駆動ばね２２の付勢力よりも小さい付勢力によって，前記アーム３２を反時計方向へ回転させるように付勢する付勢ばね３６と，
　時計方向へ回転する際に前記先羽根用第２駆動部材１５の被押動部１５ｂを押す押動部２４ｂ，時計方向へ回転する際に前記後羽根用駆動部材２０のローラー２０ｄを押す押動部２４ｃ，及び前記長孔１ｏに挿入された係合ピンを有し，ばねによって反時計方向へ回転するように付勢され，前記軸１ｉに回転可能に取り付けられたセット部材２４と，
　前記先羽根用第１駆動部材１４の被抑止部１４ｂの作動軌跡内に出入り可能な抑止部材１３ｂを有し，当該抑止部材１３ｂを前記被抑止部１４ｂの作動軌跡内に移動させることによって前記先羽根用第１駆動部材１４が反時計方向へ回転するのを抑止することができる抑止手段１３と，
を有し，
　光学ファインダを用いて撮影する第１撮影モードにおいて，
セット作動時には，先羽根の３枚の羽根２７，２８，２９が重畳して前記開口部１ａの下方位置に格納され，後羽根の３枚の羽根３３，３４，３５が展開して前記開口部１ａを閉じた状態，すなわち，先羽根と後羽根の走行が終了した状態において，前記抑止部材１３ｂが前記先羽根用第１駆動部材１４の被抑止部１４ｂの作動軌跡外におかれた状態となるよう前記抑止手段１３を動作させ，前記セット部材２４を前記ばねの付勢力に抗して初期位置から時計方向へ回転させることによって，前記先羽根用第２駆動部材１５の被押動部１５ｂが前記セット部材２４の押動部２４ｂに押されて，前記先羽根用第２駆動部材１５が前記先羽根用駆動ばね１８の付勢力に抗して反時計方向へ回転させられるとともに，前記セットばね３０の付勢力によって，前記先羽根用第１駆動部材１４の被押動部１４ａが前記先羽根用第２駆動部材１５の押動部１５ｄに接触した状態を維持するように，前記先羽根用第１駆動部材１４が反時計方向へ回転させられ，かつ，前記後羽根用駆動部材２０のローラー２０ｄが前記セット部材２４の押動部２４ｃに押されて，前記後羽根用駆動部材２０が前記後羽根用駆動ばね２２の付勢力に抗して反時計方向へ回転させられ，
前記セット部材２４をセット位置まで回転させると，先羽根の３枚の羽根２７，２８，２９が展開して前記開口部１ａを閉じ，後羽根の３枚の羽根３３，３４，３５が重畳して前記開口部１ａの上方位置に格納されたセット状態となり，
撮影時には，前記セット状態から，前記先羽根用駆動ばね１８の付勢力によって前記先羽根用第２駆動部材１５を時計方向へ回転させ，前記先羽根用第２駆動部材１５の押動部１５ｄが前記先羽根用第１駆動部材１４の被押動部１４ａを押すことによって前記先羽根用第１駆動部材１５を時計方向へ回転させ，先羽根が前記開口部１ａを開き始めることで撮影露光を開始し，次いで前記後羽根用駆動ばね２２の付勢力によって前記後羽根用駆動部材２０を時計方向へ回転させ，後羽根が前記開口部１ａを閉じ終わることで撮影露光を終わるよう構成されているとともに，
　電子ファインダを用いて撮影する第２撮影モードにおいて，
セット作動時には，前記第１撮影モードと同様の先羽根と後羽根の走行が終了した状態において，前記抑止部材１３ｂが前記先羽根用第１駆動部材１４の被抑止部１４ｂの作動軌跡内に入るよう前記抑止手段１３を動作させ，前記セット部材２４を初期位置から時計方向へ回転させることによって，前記先羽根用第２駆動部材１５の被押動部１５ｂが前記セット部材２４の押動部２４ｂに押されて，前記先羽根用第２駆動部材１５が前記先羽根用駆動ばね１８の付勢力に抗して反時計方向へ回転させられる一方，先羽根が前記開口部１ａに入る前に前記被抑止部１４ｂが前記抑止部材１３ｂに当接することにより前記先羽根用第１駆動部材１４は停止させられ，かつ，前記後羽根用駆動部材２０のローラー２０ｄが前記セット部材２４の押動部２４ｃに押されて，前記後羽根用駆動部材２０が前記後羽根用駆動ばね２２の付勢力に抗して反時計方向へ回転させられ，
前記セット部材２４がセット位置まで回転させると，先羽根と後羽根の両方が前記開口部１ａを開いたセット状態となり，
撮影時には，前記セット状態から，セットばね３０の付勢力によって先羽根用第１駆動部材１４を反時計方向へ回転させ，先羽根で前記開口部１ａを一旦閉じた後に，前記先羽根用駆動ばね１８の付勢力によって前記先羽根用第２駆動部材１５を時計方向へ回転させ，前記先羽根用第２駆動部材１５の押動部１５ｄが前記先羽根用第１駆動部材１４の被押動部１４ａを押すことによって前記先羽根用第１駆動部材１５を時計方向へ回転させ，先羽根が前記開口部１ａを開き始めることで撮影露光を開始し，次いで前記後羽根用駆動ばね２２の付勢力によって前記後羽根用駆動部材２０を時計方向へ回転させ，後羽根が前記開口部１ａを閉じ終わることで撮影露光を終わるよう構成されている，
　デジタルカメラ用フォーカルプレンシャッタ。」（以下，「甲１発明」という。）
（２）甲２ないし甲６
　ア　甲２の記載
　甲２（特開２０１１−１８０２１３号公報）は，本件特許に係る出願より前に頒布された刊行物であるところ，当該甲２には，次の記載がある。
「【技術分野】
【０００１】
　本発明は，デジタルカメラ用のフォーカルプレンシャッタに関する。」
「【００５０】
　このようにして，セット部材２７と抑止部材２８が回転を開始すると，その後，先ず，セット部材２７の押動部２７ｂが先羽根用第２駆動部材１７の被押動部１７ｂを押し，先羽根用第２駆動部材１７を先羽根用駆動ばね２３の付勢力に抗して反時計方向へ回転させ始める。このとき，先羽根用第１駆動部材１６には，セットばね３４により，先羽根を介して反時計方向へ回転する力が与えられているため，先羽根用第１駆動部材１６も，その被押動部１６ｃが先羽根用第２駆動部材１７の押動部１７ｄに追従して，反時計方向へ回転し，先羽根の３枚の羽根３１〜３３を展開させながら上方へ移動させ始める。」
　イ　甲３の記載
　甲３（特開２００１−２１５５５５号公報）は，本件特許に係る出願より前に頒布された刊行物であるところ，当該甲３には，次の記載がある。
「【発明の詳細な説明】
【０００１】
【発明の属する技術分野】本発明は，撮影に際して，先羽根と後羽根とを同一方向へ順次作動させ，両者によって形成されたスリットにより，撮像面を露光するようにしたデジタルカメラ用のフォーカルプレンシャッタに関する。」
「【００５２】・・・（中略）・・・また，上記の実施例においては，セットばね２８がアーム２３に掛けられていて，ガタ寄せばねを兼用しているが，兼用させない場合には，セットばね２８に相当するセットばねをアーム２２や先羽根用第１駆動部材８に掛け，従来からのガタ寄せばねをアーム２３に掛けるようにしても差し支えない。そして，先羽根用第１駆動部材８に掛ける場合には，先羽根用第２駆動部材９との間に掛けると，露光作動を行なうとき，そのセットばねの付勢力が負荷として作用しないようにすることができる。」
　ウ　甲４の記載
　甲４（実願昭６１−２６９６７号（実開昭６２−１４０５２６号）のマイクロフィルム）は，本件特許に係る出願より前に頒布された刊行物であるところ，当該甲４には，次の記載がある。
「〔考案の技術分野〕
　本考案は，分割羽根を用いるカメラ用フォーカルプレーンシャッタの制動機構に関する。」（明細書３ページ４ないし６行）
「この作動の過程において，第２図（ａ）に示す如く，羽根操作部材１は，突部１ｂは羽根駆動部材２の突部１ｃに当接し，この時羽根駆動部材２がその材質及び肉薄２ａ形状の働きにより弾性変形することより制動作用を受け，その作動速度が急激に低下する。
　また，突部１ｂが突部２ｃを通過後，羽根操作部材１の側面１ｃが羽根駆動部材２の腕部２ｂに当接して羽根操作部材１がバウンドを起すが，突部１ｂが突部２ｃに当って直ちに減衰される。」（明細書８ページ１０ないし１９行）
　エ　甲５の記載
　甲５（実願平１−３８０５０号（実開平２−１３１７３３号）のマイクロフィルム）は，本件特許に係る出願より前に頒布された刊行物であるところ，当該甲５には，次の記載がある。
「［産業上の利用分野］
　本考案は，カメラ用のフォーカルプレンシャッタに関し，特に撮影時およびチャージ動作時以外には先羽根群と後羽根群とが開口部を閉塞するフォーカルプレンシャッタに関する。」（明細書２ページ１１ないし１５行）
「１２はバネで，前記第１の駆動レバー８と第２の駆動レバー１０とにそれぞれの一端を係留され，第２の駆動レバー１０の係合部１０ａが第１の後駆動レバーの被係合部８ｃに当接する方向の引っ張り力を両部材８，１０間に付与している。そして，第１図示の状態では，その係合部１０ａを前記被係合部８ｃに当接させた第２の後駆動レバー１０は第１の後駆動レバー８と共に前記バネ１１の力により左旋し，第１の後駆動レバー８の駆動ピン８ａが講述する緩衝片２１と当接することによって，両レバー８，１０はこれ以上の左旋を阻止される。また，駆動ピン８ａは，不図示の操作レバーを介して不図示の後羽根を公知のごとく駆動するようになっており，第１図の状態では後羽根はアパーチャを覆った閉鎖位置にある。」（明細書７ページ１６行ないし８ページ１０行）
　オ　甲６の記載
　甲６（特開２００６−２３５２６０号公報）は，本件特許に係る出願より前に頒布された刊行物であるところ，当該甲６には，次の記載がある。
「【技術分野】
【０００１】
　本発明は，一つ又は二つのシャッタ羽根を備えているカメラ用フォーカルプレンシャッタに関する。」
「【００２６】
　このようにして，セット作動が行われてゆき，先羽根の３枚の羽根が開口部１ａを覆い，後羽根の３枚の羽根１８〜２０が開口部１ａの上方位置に退いた状態になると，各駆動部材９，１２の鉄片部材１１，１４が，先羽根用電磁石と後羽根用電磁石の鉄芯に接触し，その直後には，セット部材１５の回転が停止されて，セット作動が終了する。そして，セット作動が完了したときには，先羽根駆動部材９の突起部９ｄが，接片部材７から完全に離れており，接片部材７は，自己の弾性力によって，係合部７ｂをプリント配線板６の端面に接触させた状態になっている。図２（ａ）は，このときの先羽根駆動部材９と，二つの接片部材７，８の関係位置を示したものである。」
（３）本件特許発明１の新規性及び進歩性について
　ア　本件特許発明１と甲１発明の対比
（ア）　甲１発明の「デジタルカメラ用フォーカルプレンシャッタ」は，本件特許発明１の「フォーカルプレンシャッタ」に相当する。
（イ）　甲１発明の「シャッタ地板１」には，「露光用の開口部１ａ」が形成されているから，本件特許発明１の「露光用の開口部を有する地板」に相当する。
（ウ）　甲１発明の「先羽根」は，「シャッタ地板１」（本件特許発明１の「地板」に相当する。以下，「ア　本件特許発明１と甲１発明の対比」欄において，「」で囲まれた甲１発明の構成に付された（）内の文言は，当該甲１発明の構成に相当する本件特許発明１の発明特定事項を指す。）に立設された軸１ｇ，１ｊに対してそれぞれ回転可能に取り付けられたアーム２５，２６と当該アーム２５，２６に枢支された３枚の羽根２７，２８，２９とから構成されており，３枚の羽根２７，２８，２９が展開して「開口部１ａ」（開口部）を閉じた状態（第１撮影モードのセット状態）や，重畳して「開口部１ａ」（開口部）の下方位置に格納された状態（先羽根の走行が終了した状態）に移動するのであるから，本件特許発明１の「開口部を開閉するべく地板に移動自在に設けられた先羽根」に相当する。
（エ）　甲１発明の「後羽根」は，「シャッタ地板１」（地板）に立設された軸１ｈ，１ｋに対してそれぞれ回転可能に取り付けられたアーム３１，３２と当該アーム３１，３２に枢支された３枚の羽根３３，３４，３５とから構成されており，３枚の羽根３３，３４，３５が展開して「開口部１ａ」（開口部）を閉じた状態（後羽根の走行が終了した状態）や，重畳して「開口部１ａ」（開口部）の上方位置に格納された状態（第１撮影モード及び第２撮影モードのセット状態）に移動するのであるから，本件特許発明１の「開口部を開閉するべく地板に移動自在に設けられた後羽根」に相当する。
（オ）　甲１発明の先羽根用第１駆動部材１４には「先羽根」（先羽根）が連結され，先羽根用第２駆動部材１５には先羽根用駆動ばね１８の付勢力が作用して，両者が協働して，先羽根用駆動ばね１８の付勢力を「先羽根」（先羽根）に伝達し，セット状態から走行が終了した状態に移動させるのであるから，甲１発明の「先羽根用第１駆動部材１４と先羽根用第２駆動部材１５からなる構成」は，本件特許発明１の「先羽根を駆動する先羽根用駆動部材」に相当する。
（カ）　甲１発明の「先羽根用駆動ばね１８」は，「先羽根用第１駆動部材１４及び先羽根用第２駆動部材１５」（先羽根用駆動部材）のうちの先羽根用第２駆動部材１５を時計方向へ回転させるよう付勢しているから，本件特許発明１の「先羽根駆動部材を付勢する先羽根用駆動ばね」に相当する。
（キ）　甲１発明の「後羽根用駆動部材２０」には「後羽根」（後羽根）が連結されるとともに，後羽根用駆動ばね２２の付勢力を「後羽根」（後羽根）に伝達し，セット状態から走行が終了した状態に移動させるのであるから，本件特許発明１の「後羽根を駆動する後先羽根用駆動部材」に相当する。
（ク）　甲１発明の「後羽根用駆動ばね２２」は，「後羽根用駆動部材２０」（後羽根用駆動部材）を時計方向へ回転させるよう付勢しているから，本件特許発明１の「後羽根駆動部材を付勢する後羽根用駆動ばね」に相当する。
（ケ）　甲１発明の「セット部材２４」は，時計方向へ回転する際に「先羽根用第１駆動部材１４と先羽根用第２駆動部材１５からなる構成」（先羽根用駆動部材）のうちの先羽根用第２駆動部材１５を押して「先羽根用駆動ばね１８」（先羽根用駆動ばね）の付勢力に抗して反時計方向へ回転させ，先羽根の走行が終了した状態から第１撮影モード及び第２撮影モードのセット状態まで移動させるとともに，「後羽根用駆動部材２０」（後羽根用駆動部材）を押して「後羽根用駆動ばね２２」（後羽根用駆動ばね）の付勢力に抗して反時計方向へ回転させ，後羽根の走行が終了した状態から第１撮影モード及び第２撮影モードのセット状態まで移動させるところ，撮影はこれらセット状態において開始されるから，甲１発明の「セット部材２４」は本件特許発明１の「先羽根駆動部材及び後羽根駆動部材を，先羽根用駆動ばねおよび後羽根用駆動ばねの付勢力に抗してシャッタ動作前のセット位置にセットし得るセット部材」に相当する。
（コ）　甲１発明の「先羽根用第２駆動部材１５」は，時計方向へ回転する「セット部材２４」（セット部材）に押されて，先羽根の走行が終了した状態から第１撮影モード及び第２撮影モードのセット状態まで移動するから，本件特許発明１の「セット部材が係合して先羽根用駆動ばねの付勢力に抗しつつシャッタ動作前のセット位置にセットされる主駆動部材」に相当する。
　また，甲１発明の「先羽根用第１駆動部材１４」には，「先羽根」（先羽根）が連結されているから，本件特許発明１の「先羽根に連結される従駆動部材」に相当する。
　したがって，甲１発明の「先羽根用第１駆動部材１４と先羽根用第２駆動部材１５からなる構成」は，本件特許発明１の「先羽根駆動部材」と，「セット部材が係合して先羽根用駆動ばねの付勢力に抗しつつシャッタ動作前のセット位置にセットされる主駆動部材と，先羽根に連結される従駆動部材を含」む点で一致する。
（サ）　甲１発明の「抑止手段１３」は，抑止部材１３ｂを「先羽根用第１駆動部材１４」（従駆動部材）の被抑止部１４ｂの作動軌跡内に入れることができるよう構成されていて，第２撮影モードにおけるセット作動時に，セットばね３０の付勢力によって「先羽根用第１駆動部材１４」（従駆動部材）が「先羽根用第２駆動部材１５」（主駆動部材）とともに反時計方向へ回転するのを抑止するから，本件特許発明１の「セット部材によるセット動作時に所定条件下で従駆動部材の追従を規制するべく作動する規制機構」に相当する。
（シ）　前記（ア）ないし（サ）に照らせば，本件特許発明１と甲１発明は，
「露光用の開口部を有する地板と，
　前記開口部を開閉するべく前記地板に移動自在に設けられた先羽根と，
　前記開口部を開閉するべく前記地板に移動自在に設けられた後羽根と，
　前記先羽根を駆動する先羽根駆動部材と，
　前記先羽根駆動部材を付勢する先羽根用駆動ばねと，
　前記後羽根を駆動する後羽根駆動部材と，
　前記後羽根駆動部材を付勢する後羽根用駆動ばねと，
　前記先羽根駆動部材及び後羽根駆動部材を，前記先羽根用駆動ばねおよび後羽根用駆動ばねの付勢力に抗してシャッタ動作前のセット位置にセットし得るセット部材を備え，
　前記先羽根駆動部材は，前記セット部材が係合して前記先羽根用駆動ばねの付勢力に抗しつつシャッタ動作前のセット位置にセットされる主駆動部材と，前記先羽根に連結される従駆動部材を含み，
　前記セット位置にセットされる前記主駆動部材に追従するよう前記従駆動部材を付勢するセットばねと，
　前記セット部材によるセット動作時に所定条件下で前記従駆動部材の追従を規制するべく作動する規制機構をさらに備えた，
　フォーカルプレンシャッタ。」
である点で一致し，次の点で相違する。
相違点１：
　本件特許発明１が，規制機構が非作動の状態において，主駆動部材がセット位置に移動する際に従駆動部材の追従を補助する補助機構を設けているのに対して，
　甲１発明は，このような補助機構を有していない点。
　イ　判断
（ア）新規性欠如について
　相違点１は実質的な相違点である。
　しかるに，本件特許発明１と甲１発明の間に相違点１が存在する以上，本件特許発明１は甲１発明と同一ではない。
　したがって，本件特許発明１について，申立理由３は成り立たない。
（イ）進歩性欠如について
　甲２ないし甲６のいずれにも，先羽根駆動部材が，セット部材が係合して先羽根用駆動ばねの付勢力に抗しつつシャッタ動作前のセット位置にセットされる主駆動部材と，先羽根に連結される従駆動部材とからなり，セットばねの付勢力によってセット位置にセットされる前記主駆動部材に前記従駆動部材を追従させるように構成されたフォーカルプレンシャッタにおいて，前記従駆動部材の追従を補助する補助機構を設けることは，記載も示唆もされていない。
　したがって，たとえ甲１発明に甲２ないし甲６のいずれに記載された事項を適用したとしても，相違点１に係る本件特許発明１の発明特定事項には至らない。
　そして，本件特許発明１は，相違点１に係る発明特定事項を備えることによって，セット部材によるチャージ速度を速くしても，所望の露光動作が得られ，高速での連続撮影が可能になるという本件特許明細書に記載された効果を奏するものと認められる。
　以上のとおりであるから，本件特許発明１は，甲１発明及び甲２ないし甲６のいずれかに記載された事項に基づいて，当業者が容易に発明をすることができたものでない。
　よって，本件特許発明１について，申立理由４は成り立たない。
（４）本件特許発明２ないし６の新規性及び進歩性について
　本件特許の請求項２ないし６は，請求項１の記載を直接又は間接的に引用する形式で記載されており，本件特許発明２ないし６は本件特許発明１の発明特定事項を全て具備し，他の発明特定事項を付加したものであるところ，本件特許発明１が甲１発明と同一でなく，甲１発明及び甲２ないし甲６のいずれかに記載された事項に基づいて当業者が容易に発明をすることができたものでもない以上，本件特許発明２ないし６についても，同様の理由で，甲１発明と同一でなく，甲１発明及び甲２ないし甲６のいずれかに記載された事項に基づいて当業者が容易に発明をすることができたものでもない。
　したがって，本件特許発明２ないし６についても，申立理由３及び４は成り立たない。
７　申立理由５に対する判断
（１）【００３０】の記載について
　本件特許発明において特定されている「板バネ（付勢部材）」の構成は，主駆動部材に設けられ，当接部に当接し得るとともに所定以上の抵抗力に対して弾性変形して撓むこと（請求項３），主駆動部材及び従駆動部材の回動軸線に垂直な面内において撓むこと（請求項４），先端領域が当接部に向けて凸上に湾曲して形成されていること（請求項５）であり，「当接部」の構成は，従駆動部材に設けられること（請求項３），板バネの先端領域と当接し得るように前記回動軸線と平行に伸長する円柱状に形成されていること（請求項４，５）であって，シャッタ動作完了後の休止状態における板バネ５２と当接部５６の当接・離間の別は，本件特許発明の発明特定事項ではない。
　したがって，シャッタ動作完了後の休止状態において，板バネ５２と当接部５６とを離間した状態とすることは，そもそも本件特許発明の実施とは無関係の事項なのであって，特許異議申立人が主張する本件特許明細書の【００３０】の記載と図３，４による図示との齟齬が仮に事実だとしても，当該齟齬をもって，実施可能要件に違反するということはできない。
　また，このことを措くとしても，そもそも，板バネ５２は主駆動部材５１に設けられ，当接部５６は従駆動部材５５に設けられていて，主駆動部材５１と従駆動部材５５とは同じ支軸１０ｈを中心として相対的に回動できるよう構成されているのであるから，シャッタ動作完了後の休止状態において，板バネ５２と当接部５６とを離間した状態にしたいのであれば，当該休止状態（すなわち，ガタ寄せバネの付勢力によって主駆動部材５２の係合部５１ａと従駆動部材５５の係合部５５ｂとが係合している状態）において板バネ５２と当接部５６とが離間しており，主駆動部材５２の係合部５１ａと従駆動部材５５の係合部５５ｂとが少し離間した状態においては板バネ５２と当接部５６とが当接することとなるような位置に，板バネ５２と当接部５６とを設置すればよいことである。そして，このことは各図を参酌しなくても当業者が容易に理解できることである。
　したがって，特許異議申立人が主張する本件特許明細書の【００３０】の記載に関して，本件特許明細書の発明の詳細な説明の記載が実施可能要件に違反するとは認められない。
（２）【００２４】の記載について
　本件特許明細書の【００２４】の記載は，本件特許発明３における「当接部に当接し得るとともに所定以上の抵抗力に対して弾性変形して撓む」という「付勢部材」に係る発明特定事項，及び本件特許発明５における「先端領域は，当接部に向けて凸上に湾曲して形成」されるという「板バネ」に係る発明特定事項に関して，実施形態では，規制機構８０によって従駆動部材５５の移動が規制されていないときには，主駆動部材５１がセット位置に移動する際に，従駆動部材５５に設けられた当接部５６が板バネ５２により押圧されて，従駆動部材５５の追従が補助されるよう構成されていること，及び，規制機構８０によって従駆動部材５５の移動が規制されているときには，主駆動部材５１がセット位置に移動する際に，板バネ５２が弾性変形して当接部５６との当接状態から逸脱することによって，従駆動部材５５が停止したままとなるよう構成されていることを説明するものであるところ，従駆動部材５５の追従を補助する際の板バネ５２による当接部５６の押圧が，当接部５６に向けて凸上に湾曲して形成された板バネ５２の先端領域によりなされることは，図６等を参酌することで当業者が容易に理解できることであり，かつ，板バネ５２が弾性変形して当接部５６との当接状態から逸脱するという事項は，図１０に図示された板バネ５２の変形状態や当接部５６との位置関係を参酌すれば，当業者がその内容を明確に理解できることであって，当業者は，これらの記載に基づいて，本件特許発明を実施することができるものと認められる。
　図面は，発明の内容を理解しやすくするために，明細書の補助として使用されるものであって，発明の内容を理解するのに十分な程度の正確さと精度があれば足り，設計図面のように詳細かつ厳密なものまでは必要でないと解されるところ，図６において板バネ５２と当接部５２が離間しているよう見受けられるとの特許異議申立人の主張は，実質上，図面が正確に描かれていないことを指摘しているにすぎない。実施形態における板バネ５２と当接部５６の位置関係は，本件特許明細書の【００２４】の記載等から明確に理解できるから，特許異議申立人が主張する点をもって実施可能要件に違反するということはできない。
　また，【００２４】に記載された「当接状態から逸脱する」との表現が，板バネ５２と当接部５６とが離間することを指しているのでなく，板バネ５２が弾性変形してその先端領域が当接部５６から外れ，先端領域による当接部５６への押圧がなされなくなることを指していることは，図１０を参酌することで，当業者が明確に理解できることである。当該表現に関する特許異議申立人の主張は，本件特許明細書の発明の詳細な説明の記載を誤解したものであって，これを採用することはできない。
　したがって，特許異議申立人が主張する本件特許明細書の【００２４】の記載に関して，本件特許明細書の発明の詳細な説明の記載が実施可能要件に違反するとは認められない。
（３）申立理由５について判断のまとめ
　前記（１）及び（２）のとおりであるから，申立理由５は成り立たない。
８　むすび
　以上のとおりであるから，特許異議申立書に記載された申立ての理由によっては，本件特許の請求項１ないし６に係る特許を取り消すことはできない。
　また，他に本件特許の請求項１ないし６に係る特許を取り消すべき理由を発見しない。
　よって，結論のとおり決定する。
【異議決定日】
平成２９年９月２５日（２０１７．９．２５）